【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】
画像情報および音声情報を示す信号をエンコードして、複数の記憶媒体に格納する装置において、
前記信号をデジタル化画像情報およびデジタル化音声情報に変換するように構成されているソース生成器と、
前記デジタル化画像情報およびデジタル化音声情報を前記ソース生成器から受け取って、前記デジタル化画像情報およびデジタル化音声情報を圧縮するように構成されているコンプレッサと、
前記圧縮されたデジタル化画像情報およびデジタル化音声情報を前記コンプレッサから受け取って、前記圧縮されたデジタル化画像情報およびデジタル化音声情報を暗号化するように構成されているエンクリプタと、
前記圧縮され暗号化されたデジタル化画像情報およびデジタル化音声情報を複数の部分にストライプする手段と、
前記圧縮され暗号化されたデジタル化画像情報およびデジタル化音声情報の部分を受け取って、前記圧縮され暗号化されたデジタル化画像情報およびデジタル化音声情報の部分を複数の記憶媒体に分配的に格納するように構成されている記憶装置とを具備する装置。
【請求項２】
前記画像情報および音声情報の部分は、互いに独立した不連続方式で格納される請求項１記載の装置。
【請求項３】
前記コンプレッサは、適応ブロックサイズの離散余弦変換圧縮技術を用いる請求項１記載の装置。
【請求項４】
前記コンプレッサは、前記デジタル化音声情報を可変レートで圧縮するように構成されている請求項１記載の装置。
【請求項５】
さらに識別子を有し、前記コンプレッサは１つ以上の音声プログラムに対する前記識別子を少なくとも１つの画像プログラムにリンクさせるように構成され、前記圧縮され暗号化されたデジタル化画像情報は少なくとも１つの画像プログラムを形成し、前記圧縮され暗号化されたデジタル化音声情報は少なくとも１つの音声プログラムを形成する請求項１記載の装置。
【請求項６】
前記ソース生成器はプログラムパケッタイザをさらに備え、前記プログラムパケッタイザは、前記記憶媒体に格納するために、前記画像情報または音声情報を識別可能なグループに体系付けるように構成されている請求項５記載の装置。
【請求項７】
前記ソース生成器は、テレシネ装置をさらに備える請求項１記載の装置。
【請求項８】
前記ソース生成器は、コンピュータベースワークステーションをさらに備える請求項１記載の装置。
【請求項９】
前記エンクリプタは暗号鍵をさらに含み、前記暗号鍵は鍵記憶媒体に格納され、前記暗号鍵は前記画像情報および音声情報を解読するために必要である請求項１記載の装置。
【請求項１０】
前記鍵記憶媒体は、スマートカードである請求項９記載の装置。
【請求項１１】
前記鍵記憶媒体は、磁気ディスクである請求項９記載の装置。
【請求項１２】
前記暗号鍵は、送信される請求項９記載の装置。
【請求項１３】
暗号鍵情報が有効である時間間隔を示し、前記暗号鍵情報が前記時間間隔の間でのみ用いられることを保証する手段とをさらに具備する請求項９記載の装置。
【請求項１４】
前記暗号鍵は、前記時間間隔が終了した後に前記鍵記憶媒体から上書きされるように構成されている請求項１３記載の装置。
【請求項１５】
前記エンクリプタは少なくとも１つの透かしをさらに含み、前記透かしは、予め定義された通常の伝送レートで、解凍された画像情報または音声情報のプレゼンテーションの間に知覚的に気付かれないが、前記画像情報または音声情報が、前記通常のレートとは実質的に異なるレートで提供されたときに検出可能である請求項１記載の装置。
【請求項１６】
前記透かしは、前記画像情報または音声情報に関係するプレゼンテーション時間および位置情報を識別する請求項１５記載の装置。
【請求項１７】
ネットワークマネージャをさらに具備し、前記ネットワークマネージャは、前記ソース生成器、前記コンプレッサ、前記エンクリプタおよび前記記憶装置に対して制御情報を送り、前記ソース生成器、前記コンプレッサ、前記エンクリプタおよび前記記憶装置からステータス情報を受け取るように構成されている請求項１記載の装置。
【請求項１８】
前記装置はリンクを確立するように構成され、前記リンクは前記装置から外部情報を送信および受信するように構成されている請求項１記載の装置。
【請求項１９】
前記情報は、制御情報およびステータス情報を含む請求項１８記載の装置。
【請求項２０】
前記情報は、前記画像情報および音声情報に対する更新を含む請求項１８記載の装置。
【請求項２１】
前記リンクは、専用電話データリンクを含む請求項１８記載の装置。
【請求項２２】
前記リンクは、ダイアルアップ電話データリンクを含む請求項１８記載の装置。
【請求項２３】
前記リンクは、パケットタイプデータリンクを含む請求項１８記載の装置。
【請求項２４】
前記リンクは、インターネットベースリンクを含む請求項１８記載の装置。
【請求項２５】
前記リンクは、ワイヤレスデータリンクを含む請求項１８記載の装置。
【請求項２６】
前記リンクは、衛星ベースデータリンクを含む請求項１８記載の装置。
【請求項２７】
前記記憶媒体は、少なくとも１つの光学式記憶媒体を含む請求項１記載の装置。
【請求項２８】
前記記憶媒体は複数の光学式記憶媒体を含み、前記画像情報および音声情報は前記複数の光学式記憶媒体に不連続的に格納される請求項２７記載の装置。
【請求項２９】
前記音声情報は、前記画像情報とは異なる別個の光学式記憶媒体に格納される請求項２７記載の装置。
【請求項３０】
販売促進情報を示すエンコード信号をさらに含み、前記販売促進情報を示すエンコード信号は、前記画像情報および音声情報とは異なる別個の光学式記憶媒体に格納される請求項２７記載の装置。
【請求項３１】
前記記憶媒体は、少なくとも１つのＤＶＤディスクを含む請求項２７記載の装置。
【請求項３２】
前記記憶媒体は、少なくとも１つの磁気記憶媒体を含む請求項１記載の装置。
【請求項３３】
前記記憶媒体は複数の磁気記憶媒体を含み、前記画像情報および音声情報は前記複数の磁気記憶媒体に不連続的に格納される請求項３２記載の装置。
【請求項３４】
前記音声情報は、前記画像情報とは異なる別個の磁気記憶媒体に格納される請求項３２記載の装置。
【請求項３５】
販売促進情報を示すエンコード信号をさらに含み、前記販売促進情報を示すエンコード信号は前記画像情報および前記音声情報とは異なる別個の磁気記憶媒体に格納される請求項３２記載の装置。
【請求項３６】
前記記憶媒体は、少なくともリムーバブルハードドライブを含む請求項３２記載の装置。
【請求項３７】
前記記憶媒体は、少なくとも１つのＪＢＯＤモジュールを含み、前記ＪＢＯＤモジュールは少なくとも１つの記憶構成部品を含む請求項３２記載の装置。
【請求項３８】
前記記憶装置は、格納中に、識別子情報を用いて、前記画像情報または音声情報の予め選択された異なる部分を前記記憶媒体の異なるものにリンクさせる手段を備える請求項１記載の装置。
【請求項３９】
前記記憶装置は、前記画像情報および音声情報の格納された部分を所望のデータ伝送レートでアクセスして誤り保護冗長性を提供できるように、並列ストライピング情報を提供する手段をさらに備える請求項１記載の装置。
【請求項４０】
少なくとも１つのローカルエリアネットワークインタフェースをさらに具備し、少なくとも前記ソース生成器、前記コンプレッサ、前記エンクリプタおよび前記記憶装置は、前記少なくとも１つのローカルエリアネットワークインタフェースにより相互接続されている請求項１記載の装置。
【請求項４１】
前記ネットワークインタフェースは、イーサネットネットワークを含む請求項４０記載の装置。
【請求項４２】
前記画像情報は画像プログラムの形態で提供され、前記画像プログラムは、単一の静止フレーム、または可変長の映画として示される連続フレームのうちのいずれか一方の形態である請求項１記載の装置。
【請求項４３】
前記画像情報および音声情報の格納をアーカイブする手段をさらに具備する請求項１記載の装置。
【請求項４４】
前記ソース生成器はキュートラックをさらに備え、前記キュートラックは、情報がリンクされ得るプログラムの特定の部分を示すように構成されている請求項１記載の装置。
【請求項４５】
画像情報および音声情報を示す信号をエンコードして、複数の記憶媒体に格納する装置において、
前記信号をデジタル化画像情報およびデジタル化音声情報に変換するように構成されているソース生成器と、
前記デジタル化画像情報およびデジタル化音声情報を前記ソース生成器から受け取り、前記デジタル化画像情報およびデジタル化音声情報を圧縮するように構成され、適応ブロックサイズの離散余弦変換圧縮技術を用いているコンプレッサと、
前記圧縮されたデジタル化画像情報および圧縮されたデジタル化音声情報を前記コンプレッサから受け取り、前記圧縮されたデジタル化画像情報および圧縮されたデジタル化音声情報を暗号化するように構成されているエンクリプタと、
前記圧縮され暗号化されたデジタル化画像情報および前記圧縮され暗号化されたデジタル化音声情報を前記コンプレッサから受け取って、前記圧縮され暗号化されたデジタル化画像情報を画像プログラムとして複数の記憶媒体に分配的に格納し、前記圧縮され暗号化されたデジタル化音声情報を音声プログラムとして別の複数の記憶媒体に分配的に格納するように構成されている記憶装置とを具備する装置。
【請求項４６】
前記記憶媒体は少なくとも１つのＪＢＯＤモジュールを含み、各ＪＢＯＤモジュールは少なくとも１つの記憶構成部品を有し、前記画像情報および音声情報は各ＪＢＯＤモジュールの前記記憶構成部品に不連続的に格納される請求項４５記載の装置。
【請求項４７】
販売促進情報を示すエンコード信号をさらに含み、前記販売促進情報を示すエンコード信号は、前記画像情報および音声情報とは異なる別個の記憶構成部品に格納される請求項４５記載の装置。
【請求項４８】
画像情報および音声情報を示す信号をエンコードして、複数の記憶媒体に格納する方法において、
前記信号をデジタル化画像情報およびデジタル化音声情報に変換することと、
前記デジタル化画像情報およびデジタル化音声情報を圧縮することと、
前記圧縮されたデジタル化画像情報およびデジタル化音声情報を暗号化することと、
前記圧縮され暗号化されたデジタル化画像情報およびデジタル化音声情報を複数の部分にストライプすることと、
前記圧縮され暗号化されたデジタル化画像情報およびデジタル化音声情報を複数の記憶媒体に分配的に格納することとを含む方法。
【請求項４９】
前記圧縮された画像情報および音声情報は、互いに独立した不連続方式でそれぞれ格納される請求項４８記載の方法。
【請求項５０】
前記圧縮することは、適応ブロックサイズの離散余弦変換圧縮技術を用いる請求項４８記載の方法。
【請求項５１】
前記デジタル化音声情報を圧縮することは、可変レートで行われる請求項４８記載の方法。
【請求項５２】
前記圧縮され暗号化されたデジタル化画像情報を少なくとも１つの画像プログラムにグループ化することと、
前記圧縮され暗号化されたデジタル化音声情報を少なくとも１つの音声プログラムにグループ化することと、
１つ以上の音声プログラムを少なくとも１つの画像プログラムにリンクさせることとをさらに含む請求項４８記載の方法。
【請求項５３】
前記変換することは、テレシネ装置を用いる請求項４８記載の方法。
【請求項５４】
前記変換することは、コンピュータベースワークステーションを用いる請求項４８記載の方法。
【請求項５５】
暗号鍵を発生させることをさらに含み、前記暗号鍵は鍵記憶媒体に格納され、前記暗号鍵は前記画像情報および音声情報を解読するために必要である請求項４８記載の方法。
【請求項５６】
前記鍵記憶媒体は、スマートカードを含む請求項５５記載の方法。
【請求項５７】
前記鍵記憶媒体は、磁気ディスクを含む請求項５５記載の方法。
【請求項５８】
前記暗号鍵は、送信される請求項５５記載の方法。
【請求項５９】
暗号鍵情報が有効である時間間隔を示し、前記暗号鍵情報が前記時間間隔の間でのみ用いられることを保証することをさらに含む請求項５５記載の方法。
【請求項６０】
前記時間間隔が終了した後に、前記鍵記憶媒体から前記暗号鍵を上書きすることをさらに含む請求項５９記載の方法。
【請求項６１】
少なくとも１つの透かしを発生させることをさらに含み、前記透かしは、予め定義された通常の伝送レートで、解凍された画像情報または音声情報のプレゼンテーションの間に知覚的に気付かれないが、前記画像情報または音声情報が、前記通常のレートとは実質的に異なるレートで提供されるときに検出可能である請求項４８記載の方法。
【請求項６２】
前記透かしは、前記画像情報または音声情報に関係するプレゼンテーション時間および位置情報を識別する請求項６１記載の方法。
【請求項６３】
ネットワークマネージャを提供することをさらに含み、前記ネットワークマネージャは、前記変換することと、前記圧縮することと、前記暗号化することと、前記格納することとに関する制御情報を送り、受け取る請求項４８記載の方法。
【請求項６４】
情報を送信および受信するリンクを確立することをさらに含む請求項４８記載の方法。
【請求項６５】
前記情報は、ステータス情報および制御情報を含む請求項６４記載の方法。
【請求項６６】
前記情報は、画像情報および音声情報に対する更新を含む請求項６４記載の方法。
【請求項６７】
前記リンクは、専用電話データリンクである請求項６４記載の方法。
【請求項６８】
前記リンクは、ダイアルアップ電話データリンクである請求項６４記載の方法。
【請求項６９】
前記リンクは、パケットタイプデータリンクである請求項６４記載の方法。
【請求項７０】
前記リンクは、インターネットベースリンクである請求項６４記載の方法。
【請求項７１】
前記リンクは、ワイヤレスデータリンクである請求項６４記載の方法。
【請求項７２】
前記リンクは、衛星ベースデータリンクである請求項６４記載の方法。
【請求項７３】
前記記憶媒体は、少なくとも１つの光学式記憶媒体を含む請求項４８記載の方法。
【請求項７４】
前記記憶媒体は複数の光学式記憶媒体を含み、前記画像情報および音声情報は前記複数の光学式記憶媒体に不連続的に格納される請求項７３記載の方法。
【請求項７５】
前記音声情報は、前記画像情報とは異なる別個の光学式記憶媒体に格納される請求項７３記載の方法。
【請求項７６】
販売促進情報を格納することをさらに含み、前記販売促進情報は前記画像情報および音声情報とは異なる別個の光学式記憶媒体に格納される請求項７３記載の方法。
【請求項７７】
前記記憶媒体は、少なくとも１つのＤＶＤディスクを含む請求項７３記載の方法。
【請求項７８】
前記記憶媒体は、少なくとも１つの磁気記憶媒体を含む請求項４８記載の方法。
【請求項７９】
前記記憶媒体は複数の磁気記憶媒体を含み、前記画像情報および音声情報は前記複数の磁気記憶媒体に不連続的に格納される請求項７８記載の方法。
【請求項８０】
前記音声情報は、前記画像情報とは異なる別個の磁気記憶媒体に格納される請求項７８記載の方法。
【請求項８１】
販売促進情報を格納することをさらに含み、前記販売促進情報は画像情報および前記音声情報とは異なる別個の磁気記憶媒体に格納される請求項７８記載の方法。
【請求項８２】
前記記憶媒体は、少なくとも１つのリムーバブルハードドライブを含む請求項７８記載の方法。
【請求項８３】
前記記憶媒体は、少なくとも１つのＪＢＯＤモジュールを含み、前記ＪＢＯＤモジュールは少なくとも１つの記憶構成部品を含む請求項７８記載の方法。
【請求項８４】
前記格納中に、識別子情報を用いて、前記画像情報または音声情報の予め選択された異なる部分を前記記憶媒体の異なるものにリンクさせることをさらに含む請求項４８記載の方法。
【請求項８５】
前記画像情報および音声情報の格納された部分が所望のデータ伝送レートでアクセスされ、誤り保護冗長性を提供するように、並列ストライピング情報を提供することをさらに含む請求項４８記載の方法。
【請求項８６】
少なくとも１つのローカルエリアネットワークインタフェースを提供することをさらに含む請求項４８記載の方法。
【請求項８７】
前記ネットワークインタフェースは、イーサネットネットワークである請求項８６記載の方法。
【請求項８８】
前記画像情報は画像プログラムの形態で提供され、前記画像プログラムは、単一の静止フレーム、または可変長の映画として示される連続フレームのうちのいずれか一方の形態である請求項４８記載の方法。
【請求項８９】
前記画像情報および音声情報の格納をアーカイブすることをさらに含む請求項４８記載の方法。
【請求項９０】
情報がリンクされ得るプログラムの特定の部分をキューすることをさらに含む請求項４８記載の方法。